(57)【要約】【課題】坪量が低くても取り出しやすく、かつ取出口に保持されるティシュペーパーの形状が安定するティシュペーパー製品を提供する。【解決手段】坪量が８．５〜１０．３ｇ／ｍ２のシートを重ねてなるティシュペーパー２ａ、２ｂをポップアップ式に積層してなるティシュペーパー積層体２０と、ティシュペーパー積層体を収容し、自身の天面１０ａに開口してティシュペーパーを取り出す取出口１０ｈと、該取出口を覆うように貼付されスリット６ｓが形成されたフィルム６とを有する略直方体の収納箱１０と、を備えたティシュペーパー製品１００であって、ティシュペーパーの取り出し方向に展開した長さＬＡと、収納箱の高さＣＨとの比である（ＬＡ/ＣＨ）が３．０〜７．０、かつ、ティシュペーパーの取り出し方向に直交する方向の長さＬＢと、取出口の長手方向の長さＰＬとの比である（ＬＢ/ＰＬ）が１．０５〜２．２で、フィルムの厚さが２０〜８０μｍである。【選択図】図１
2018076123.tif 000002
【特許請求の範囲】
【請求項１】
パルプを主成分とする坪量が８．５〜１０．３ｇ／ｍ２のシートを１枚又は２枚以上の所定のプライ数重ねてなるティシュペーパーを、ポップアップ式に取出し可能に交互に積層してなるティシュペーパー積層体と、
該ティシュペーパー積層体を収容し、自身の天面に開口して前記ティシュペーパーを取り出す取出口と、該取出口を覆うように前記天面の内側に貼付され、前記ティシュペーパーを取り出すスリットが形成されたフィルムとを有する略直方体の収納箱と、
を備えたティシュペーパー製品であって、
前記ティシュペーパーの取り出し方向に展開した長さＬＡと、前記収納箱の高さＣＨとの比である（ＬＡ/ＣＨ）が３．０〜７．０、
かつ、前記ティシュペーパーの取り出し方向に直交する方向の長さＬＢと、前記取出口の長手方向の長さＰＬとの比である（ＬＢ/ＰＬ）が１．０５〜２．２で、
前記フィルムの厚さが２０〜８０μｍであるティシュペーパー製品。
【請求項２】
前記長さＬＡが１５０〜２３０ｍｍ、前記長さＬＢが１５０〜２４０ｍｍ、かつ（ＬＢ/ＬＡ）が０．８〜１．８である請求項１に記載のティシュペーパー製品。
【請求項３】
前記長さＰＬが１００〜２００ｍｍ、前記取出口の短手方向の幅ＰＷが２０〜６０ｍｍである請求項１又は２に記載のティシュペーパー製品。
【請求項４】
前記ティシュペーパーの前記取り出し方向の強度ＴＡと、前記ティシュペーパーの前記取り出し方向に直交する方向の強度ＴＢとの比である（ＴＡ/ＴＢ）が０．１５〜１．０である請求項１〜３のいずれかに記載のティシュペーパー製品。
【請求項５】
前記シートの厚さが０．３５〜０．７０ｍｍ／１０枚である請求項１〜４のいずれかに記載のティシュペーパー製品。
【請求項６】
前記ティシュペーパー積層体の組数が１００〜２００組であって、（前記組数×前記プライ数）／（前記高さＣＨ）で表される値が５．５〜１０．０である請求項１〜５のいずれかに記載のティシュペーパー製品。
【請求項７】
前記収納箱の長手方向の長さＣＬに対し、（ＬＢ/ＣＬ）が０．７０〜０．９９で、
前記収納箱の短手方向の幅ＣＷに対し、（（ＬＡ/２）/ＣＷ）が０．６５〜０．９９である請求項１〜６のいずれかに記載のティシュペーパー製品。
【請求項８】
前記プライ数が１〜４である請求項１〜７のいずれかに記載のティシュペーパー製品。
【請求項９】
前記フィルムの前記スリットの長さＦＬに対し、（ＦＬ/ＰＬ）が０．７０〜０．９９である請求項１〜８のいずれかに記載のティシュペーパー製品。
【請求項１０】
前記フィルムがポリエチレンである請求項１〜９のいずれかに記載のティシュペーパー製品。
【発明の詳細な説明】
【技術分野】
【０００１】
本発明は、ティシュペーパーをポップアップ式に取出し可能な収納箱に収納したティシュペーパー製品に関する。
【背景技術】
【０００２】
従来から、ティシュペーパーをいわゆるポップアップ方式で折り畳んだ積層体を収納箱（カートン）に収納し、収納箱の天面にティシュペーパーの取出口を設けたティシュペーパー製品が普及している。又、取出口の内側にはスリットを有するフィルムが内貼りされ、埃等の混入防止や取出し易さを付与している。
このティシュペーパー製品からティシュペーパーを取り出す際、次にポップアップして出てくるティシュペーパーの形状が安定する（ティシュペーパーが立った状態で維持される）と、見栄えが良いと共に、次に出てくるティシュペーパーを取り出しやすくなる。
このようなことから、フィルムを省略して分別廃棄を容易にすると共に、次に取出口から出てきたティシュペーパーを立たせるよう、取出口の長手方向中央部に曲線状の幅狭部を形成することで、ポップアップしたティシュペーパーの中央部を保持し、ティシュペーパーのドロップバック（ティシュペーパーがカートンの中に落ちてしまう現象）を起きにくくした技術が開発されている（特許文献１）。
【先行技術文献】
【特許文献】
【０００３】
【特許文献１】特開2005-170414号公報
【発明の概要】
【発明が解決しようとする課題】
【０００４】
ところで、一般的にティシュペーパーは強度が低くて形状が安定しないため、坪量を高くして保形性を維持し、上記ドロップバックを抑制していた。しかしながら、ティシュペーパーの坪量を高くすると、強度が高くなり過ぎて柔らかさが低下したり、コストアップになるという問題がある。
従って本発明は、ティシュペーパーの坪量が低くても取り出しやすく、かつ次にポップアップして取出口に保持されるティシュペーパーの形状（保形性）が安定し、ドロップバックが起きにくくなると共に、ティシュペーパーの柔らかさも確保したティシュペーパー製品の提供を目的とする。
【課題を解決するための手段】
【０００５】
上記課題を解決するため、本発明のティシュペーパー製品は、パルプを主成分とする坪量が８．５〜１０．３ｇ／ｍ２のシートを１枚又は２枚以上の所定のプライ数重ねてなるティシュペーパーを、ポップアップ式に取出し可能に交互に積層してなるティシュペーパー積層体と、該ティシュペーパー積層体を収容し、自身の天面に開口して前記ティシュペーパーを取り出す取出口と、該取出口を覆うように前記天面の内側に貼付され、前記ティシュペーパーを取り出すスリットが形成されたフィルムとを有する略直方体の収納箱と、を備え、前記ティシュペーパーの取り出し方向に展開した長さＬＡと、前記収納箱の高さＣＨとの比である（ＬＡ/ＣＨ）が３．０〜７．０、かつ、前記ティシュペーパーの取り出し方向に直交する方向の長さＬＢと、前記取出口の長手方向の長さＰＬとの比である（ＬＢ/ＰＬ）が１．０５〜２．２で、前記フィルムの厚さが２０〜８０μｍである。
【０００６】
前記長さＬＡが１５０〜２３０ｍｍ、前記長さＬＢが１５０〜２４０ｍｍ、かつ（ＬＢ/ＬＡ）が０．８〜１．８であることが好ましい。
前記長さＰＬが１００〜２００ｍｍ、前記取出口の短手方向の幅ＰＷが２０〜６０ｍｍであることが好ましい。
前記ティシュペーパーの前記取り出し方向の強度ＴＡと、前記ティシュペーパーの前記取り出し方向に直交する方向の強度ＴＢとの比である（ＴＡ/ＴＢ）が０．１５〜１．０であることが好ましい。
前記シートの厚さが０．３５〜０．７０ｍｍ／１０枚であることが好ましい。
前記ティシュペーパー積層体の組数が１００〜２００組であって、（前記組数×前記プライ数）／（前記高さＣＨ）で表される値が５．５〜１０．０であることが好ましい。
前記収納箱の長手方向の長さＣＬに対し、（ＬＢ/ＣＬ）が０．７０〜０．９９で、前記収納箱の短手方向の幅ＣＷに対し、（（ＬＡ/２）/ＣＷ）が０．６５〜０．９９であることが好ましい。
前記プライ数が１〜４であることが好ましい。
前記フィルムの前記スリットの長さＦＬに対し、（ＦＬ/ＰＬ）が０．７０〜０．９９であることが好ましい。
前記フィルムがポリエチレンであることが好ましい。
【発明の効果】
【０００７】
この発明によれば、ティシュペーパーの坪量が低くても取り出しやすく、かつ次にポップアップして取出口に保持されるティシュペーパーの形状（保形性）が安定し、ドロップバックが起きにくくなる共に、ティシュペーパーの柔らかさも確保したティシュペーパー製品が得られる。
【図面の簡単な説明】
【０００８】
【図１】本発明の実施形態に係るティシュペーパー製品の斜視図である。
【図２】本発明の実施形態に係るティシュペーパー製品の上面図である。
【図３】ティシュペーパーの取り出し方向に展開した長さ（ティシュペーパーを広げた長さ）ＬＡの測定方法を示す図である。
【発明を実施するための形態】
【０００９】
以下に本発明の実施形態について説明する。図１、図２は、それぞれ本発明の実施形態に係るティシュペーパー製品１００の斜視図、上面図である。
図１に示すように、ティシュペーパー製品１００は、ティシュペーパー２ａ、２ｂ・・・をポップアップ式に取出し可能に交互に積層してなるティシュペーパー積層体２０（図２参照）と、ティシュペーパー積層体を収容する略直方体の収納箱１０と、を備えている。さらに、収納箱１０の天面１０ａには、ティシュペーパー２ａ、２ｂ・・・を取り出す取出口１０ｈが開口して、取出口１０ｈを覆うように天面１０ａの内側にプラスチック製のフィルム６が貼付されている。又、フィルム６には、取出口１０ｈの長手方向に沿ってスリット６ｓが形成され、スリット６ｓを介してティシュペーパー２ａ、２ｂ・・・を取り出すようになっており、フィルム６によって埃等の混入防止や取出し易さを付与している。
なお、本実施形態では、各ティシュペーパー２ａ、２ｂ・・・は中央でＶ折りされて折り目２ａｆを有し、それぞれの側端部が掛け合わせされながら交互に積層され、ポップアップ式に取出し可能なティシュペーパー積層体を構成しているが、ポップアップ式に取出し可能であれば他の公知の折り方（例えばＺ折り）であってもよい。
【００１０】
ティシュペーパー２ａ、２ｂ・・・は、パルプを主成分（５０質量％以上）とする坪量が８．５〜１０．３ｇ／ｍ２のシートを１枚又は２枚以上の所定のプライ数重ねてなる。シート１枚当たりの坪量を上記範囲にすることで、坪量、ひいては強度が高くなり過ぎて柔らかさが低下することを防止し、使用感に優れる。坪量が８．５ｇ／ｍ２未満となると、強度が低下して破れやすくなったり、ティシューの保形性が劣る場合がある。一方、坪量が１０．３ｇ／ｍ２を超えると、強度が高くなり過ぎて柔らかさが劣る場合がある。坪量は、好ましくは９．０〜１０．０ｇ／ｍ２、より好ましくは９．５〜１０．０ｇ／ｍ２である。プライ数は１〜４であることが好ましく、プライ数が２であることがより好ましい。
パルプとしては木材パルプ、古紙パルプ、非木材パルプがあるが、フェイシャルティシュを構成するパルプは木材パルプ１００％から成っていてもよく、古紙パルプ、非木材パルプを含んでも良い。パルプ以外の成分としては、填料、合成繊維、天然繊維等を挙げることができる。目標とする品質を得るためには、ＮＢＫＰ：ＬＢＫＰ＝１０：９０〜７０：３０（質量比）の木材パルプを原料とすることが好ましく、より好ましい範囲はＮＢＫＰ：ＬＢＫＰ＝２０：８０〜６０：４０、更に好ましい範囲はＮＢＫＰ：ＬＢＫＰ＝２０：８０〜５０：５０である。
上記ＬＢＫＰの材種としてユーカリ属グランディス、及びユーカリグロビュラスに代表される、フトモモ科ユーカリ属から製造されるパルプが好ましい。又、このＮＢＫＰとＬＢＫＰのパルプの合計１００質量部に対し、牛乳パック由来等の古紙パルプを１３０質量部まで含むことができる。古紙パルプを配合することで強度が向上しやすく、坪量が低くても適正な強度が得られる。古紙パルプは、１〜１２０質量部配合することがより好ましく、１０〜１１０質量部配合することがさらに好ましく、２５〜１００質量部配合することが最も好ましい。
【００１１】
なお、ティシュペーパーに適正な強度を確保するために、通常の手段で原料配合し、パルプ繊維の叩解処理にて強度調整を行うことができる。目標の品質を得るための叩解としては、ストックインレット（ヘッドボックス）のパルプ原料のカナダ標準ろ水度（ＪＩＳ  Ｐ  ８１２１）が１００〜４５０mlとなるよう、叩解することが好ましい。上記範囲にすることで、坪量が低くても、適正な強度が得られる。上記のカナダ標準ろ水度は、より好ましくは１５０〜４００ｍｌ、更に好ましくは２００〜４００ｍｌ、最も好ましくは２５０〜３５０ｍｌである。カナダ標準ろ水度が４００ｍｌを超えると適正な強度が得られない場合がある。また、１００ｍｌ未満であると、ウェブの水分率が高くなり、乾燥工程での負荷が大きくなって、操業性が悪化する場合がある。
乾燥紙力剤は、適宜使用しても良い。又、湿潤紙力増強剤は適宜使用することが好ましい。
なお、ティシュペーパーの製造において、カレンダー処理、エンボス加工の有無、印刷の実施有無は、適宜選択できる。好ましくは、カレンダー処理を行い、エンボス加工や印刷は行わない。また、ティシュペーパーにはローションを塗布しないことが好ましい。ローションを塗布すると、ティシューが柔らかくなり、ティシューの保形性が劣る場合がある。
【００１２】
一方、坪量を上記範囲にすると、取出口１０ｈからポップアップして取出口１０ｈ付近に保持されるティシュペーパーの保形性が低下したり、ドロップバック（ティシュペーパーが立たずにカートンの中に落ちてしまう現象）が生じ易い。そこで、本実施形態では、以下のような規定を行った。まず、取出口１０ｈ（スリット６ｓ）からティシュペーパー２ａ、２ｂ・・・を取り出す取り出し方向をＤとする。図１の場合、上下方向が取り出し方向Ｄとなる。
本実施形態では、ティシュペーパー２ａの取り出し方向Ｄに展開した長さ（ティシュペーパーを広げた長さ）ＬＡと、収納箱１０の高さＣＨとの比である（ＬＡ/ＣＨ）が３．０〜７．０であり、ティシュペーパー２ａの取り出し方向Ｄに直交する方向の長さＬＢと、取出口１０ｈの長手方向の長さＰＬとの比である（ＬＢ/ＰＬ）が１．０５〜２．２であり、フィルム６の厚さが２０〜８０μｍである。ここで、取出口１０ｈの長手方向は、ティシュペーパー２ａの取り出し方向Ｄに直交する方向に沿っている。
【００１３】
以上のように規定することで、ティシュペーパーの坪量を低くしても、取り出しやすく、かつ次にポップアップしたティシュペーパーの保形性が向上し、ドロップバックを抑制できる。
なお、長さＬＡは、図３に示すように、ポップアップしたティシュペーパー２ａを取り出し方向Ｄに展開して平板２００上に載置し、取り出し方向Ｄに直交する方向の一辺２ａ１を粘着テープ２０２等で固定する。そして、対辺２ａ２をわずかに引張り、ティシュペーパー２ａの折り目２ａｆの凸部が潰れてほぼ平らになるときの長さとする。
【００１４】
（ＬＡ/ＣＨ）が３．０未満であると、取出口１０ｈに保持されるティシュペーパーの上下の長さが短くなり、次に使用する（２枚目以降の）ティシュペーパーを取り出しにくくなる。一方、（ＬＡ/ＣＨ）が７．０を超えると、取出口１０ｈに保持されるティシュペーパーの上下の長さが長くなり過ぎ、保形性が低下する。（ＬＡ/ＣＨ）は、好ましくは３．０〜６．０、より好ましくは３．５〜５．５である。
（ＬＢ/ＰＬ）が１．０５未満であると、取出口１０ｈに保持されるティシュペーパーの平面方向の長さが短くなり過ぎ、ドロップバックが生じる。一方、（ＬＢ/ＰＬ）が２．２を超えると、取出口１０ｈに保持されるティシュペーパーの平面方向の長さが長くなり過ぎ、ティシュペーパーを取り出す際に取出口１０ｈの抵抗が大きくなり、１枚目および２枚目以降の取り出し性が劣る場合がある。（ＬＢ/ＰＬ）は、好ましくは１．０５〜２．０、より好ましくは１．１〜１．６である。
フィルム６の厚さが２０μｍ未満であると、フィルムの強度が弱くなってドロップバックが生じやすくなったり、保形性が低下する場合がある。一方、フィルム６の厚さが８０μｍを超えると、ティシュペーパーを取り出す際にフィルムとの抵抗が大きくなり、１枚目および２枚目以降の取り出し性が劣る場合がある。フィルム６の厚さは、好ましくは２０〜６０、より好ましくは３５〜５５μｍである。
【００１５】
長さＬＡが１５０〜２３０ｍｍ、長さＬＢが１５０〜２４０ｍｍ、かつ（ＬＢ/ＬＡ）が０．８〜１．８であることが好ましい。
長さＬＡ又はＬＢが１５０ｍｍ未満であると、ティシュペーパーが小さ過ぎて使用し難い場合がある。長さＬＡが２３０ｍｍを超えるか、又は長さＬＢが２４０ｍｍを超えると、ティシュペーパーが大き過ぎて使用し難い場合がある。また、ＬＢ／ＬＡが１．８を超えたり、０．８未満であると、ティシュペーパーの縦横のサイズのバランスが悪く、使いにくくなる場合がある。
長さＬＡは、好ましくは１７０〜２２０ｍｍ、より好ましくは１８０〜２１０ｍｍである。また、長さＬＢは、好ましくは１７０〜２３０ｍｍ、より好ましくは１９０〜２２０ｍｍである。また、（ＬＢ/ＬＡ）は、好ましくは０．８〜１．５、より好ましくは１．０〜１．３である。
【００１６】
長さＰＬが１００〜２００ｍｍ、取出口１０ｈの短手方向の幅ＰＷが２０〜６０ｍｍであることが好ましい。
長さＰＬが１００ｍｍ未満であると、ティシューを取り出す際に抵抗が大きくなってしまい、１枚目および２枚目以降の取り出し性が劣る場合がある。一方、ＰＬが２００ｍｍを超えると、取出口１０ｈに保持されるティシュペーパーの平面方向の長さが相対的に短くなり過ぎ、ドロップバックが生じやすくなる場合がある。長さＰＬは、好ましくは１３５〜２００ｍｍ、１４５〜１８０ｍｍである。
幅ＰＷが２０ｍｍ未満であると、取出口１０ｈに指が入りにくく、ティシュー１枚目の取り出し性が劣る場合がある。一方、ＰＷが６０ｍｍを超えると、フィルムの面積が大きくなるため、ティシューを取り出す際、フィルムが伸びてしまい、保形性が劣ったり、ドロップバックが生じる場合がある。幅ＰＷは、好ましくは３０〜６０ｍｍ、より好ましくは３８〜５２ｍｍである。
【００１７】
ティシュペーパーの取り出し方向Ｄの強度ＴＡと、ティシュペーパーの取り出し方向に直交する方向の強度ＴＢとの比である（ＴＡ/ＴＢ）が０．１５〜１．０であることが好ましい。
（ＴＡ/ＴＢ）が０．１５未満であると、取り出し方向Ｄの強度が弱く、ティシュペーパーが倒れてしまい、保形性が劣る場合がある。一方、（ＴＡ/ＴＢ）が１．０を超えると、取り出し方向Ｄの強度が強くなり過ぎ、引き出し後のティシュペーパーの端部が丸まってしまい、保形性が劣る場合がある。（ＴＡ/ＴＢ）は、好ましくは０．２０〜１．０、より好ましくは０．２０〜０．４０である。
取り出し方向Ｄの強度ＴＡは、０．７５〜１．９Ｎ／２５ｍｍであることが好ましく、０．８５〜１．９Ｎ／２５ｍｍであることがより好ましく、１．１〜１．５Ｎ／２５ｍｍであることが更に好ましい。また、取り出し方向に直交する方向の強度ＴＢは、２．５〜５．２Ｎ／２５ｍｍであることが好ましく、３．０〜５．２Ｎ／２５ｍｍであることがより好ましく、３．７〜４．５Ｎ／２５ｍｍであることが更に好ましい。
また、取り出し方向Ｄの強度ＴＡと、取り出し方向に直交する方向の強度ＴＢの積の平方根である√（ＴＡ×ＴＢ）が１．４〜３．１Ｎ／２５ｍｍであることが好ましい。√（ＴＡ×ＴＢ）が１．３Ｎ／２５ｍｍ未満であると、ティシュペーパーが破れやすくなる場合がある。一方、√（ＴＡ×ＴＢ）が３．１Ｎ／２５ｍｍを超えると、ティシュペーパーの柔らかさが劣る場合がある。√（ＴＡ×ＴＢ）は、好ましくは１．６〜３．１Ｎ／２５ｍｍ、より好ましくは２．０〜２．６Ｎ／２５ｍｍである。
なお、ティシュペーパーの強度ＴＡ、ＴＢは、シートを１枚又は２枚以上のプライ数重ねてなるティシュペーパー全体の強度である。
【００１８】
シートの厚さが０．３５〜０．７０ｍｍ／１０枚であることが好ましい。
シートの厚さが０．３５ｍｍ／１０枚未満であると、ティシューの保形性が劣る場合がある。一方、シートの厚さが０．７０ｍｍ／１０枚を超えると、ティシュペーパー積層体の収納箱への挿入性を確保するため、収納箱の高さＣＨを高く（大きく）しなければならない場合がある。また、収納箱の高さＣＨを高くすると、（ＬＡ/ＣＨ）が３．０未満となり、取出口１０ｈに保持されるティシュペーパーの上下の長さが短くなり、次に使用するティシュペーパーの１枚目の取り出し性が劣る場合がある。シートの厚さは、好ましくは０．４１〜０．６０ｍｍ／１０枚、より好ましくは０．４３〜０．５５ｍｍ／１０枚である。
【００１９】
ティシュペーパー積層体の組数が１００〜２００組であって、（組数×プライ数）／（高さＣＨ）で表される値が５．５〜１０．０であることが好ましい。
上記値が５．５未満であると、収納箱の高さＣＨに対して組数が少なくなり過ぎ、収納箱内の上部空間が大きくなり（収納箱の下部にティシュペーパー積層体が偏在し、上部が空の状態になり）、１枚目のティシュペーパーを取り出しにくくなる場合がある。一方、上記値が１０．０を超えると、高さＣＨに対して組数が多くなり過ぎ、収納箱内にティシュペーパー積層体がきつく押し詰められた状態となり、１枚目のティシュペーパーの取り出し性が劣る場合がある。（組数×プライ数）／（高さＣＨ）で表される値は、好ましくは５．５〜９．０、より好ましくは６．５〜７．５である。また、組数は、好ましくは１４０〜１７０組、より好ましくは１５０〜１６０組である。
【００２０】
収納箱１０の長手方向の長さＣＬに対し、（ＬＢ/ＣＬ）が０．７０〜０．９９で、収納箱１０の短手方向の幅ＣＷに対し、（（ＬＡ/２）/ＣＷ）が０．６５〜０．９９であることが好ましい。
（ＬＢ/ＣＬ）が０．７０未満であると、収納箱と積層体のサイズのバランスが悪く、積層体が収納箱の中で偏ったり、曲がったりしてしまい、１枚目の取り出し性が劣ってしまう場合がある。一方、（ＬＢ/ＣＬ）が０．９９を超えると、製造時に収納箱にティシュペーパー積層体を挿入することが難しくなり、挿入性が悪化する場合がある。（ＬＢ/ＣＬ）は、好ましくは０．８０〜０．９９、より好ましくは０．８５〜０．９９である。また、収納箱１０の長手方向の長さＣＬは、好ましくは１５０〜２５０ｍｍ、より好ましくは１７０〜２５０ｍｍ、更に好ましくは２００〜２３０ｍｍである。
（（ＬＡ/２）/ＣＷ）が０．６５未満であると、収納箱と積層体のサイズのバランスが悪く、積層体が収納箱の中で偏ったり、曲がったりしてしまい、１枚目の取り出し性が劣ってしまう場合がある。一方、（（ＬＡ/２）/ＣＷ）が０．９９を超えると、製造時に収納箱にティシュペーパー積層体を挿入することが難しくなり、挿入性が悪化する場合がある。（（ＬＡ/２）/ＣＷ）は、好ましくは０．７０〜０．９９、より好ましくは０．７５〜０．９５である。また、収納箱１０の短手方向の幅ＣＷは、好ましくは９０〜１４０ｍｍ、より好ましくは１００〜１４０、更に好ましくは１０５〜１２０ｍｍである。
【００２１】
フィルム６のスリット６ｓの長手方向の長さＦＬに対し、（ＦＬ/ＰＬ）が０．７０〜０．９９であることが好ましい。
（ＦＬ/ＰＬ）が０．７０未満であると、ティシュペーパーを取り出す際にフィルムの抵抗が大きくなってしまい、１枚目および２枚目以降の取り出し性が劣る場合がある。一方、（ＦＬ/ＰＬ）が０．９９を超えると、ティシュペーパーの左右の端部が取出口１０ｈに擦れて、ティシュペーパーが破れてしまう場合がある。（ＦＬ/ＰＬ）は、好ましくは０．７０〜０．９９、より好ましくは０．８０〜０．９９、更に好ましくは０．９０〜０．９９である。
なお、長さＦＬは、長さＰＬ以下であり、通常は、ＦＬ＜ＰＬ＜ＬＢである。
又、フィルム６がポリエチレンであると、フィルムが伸びやすく、破れにくいので好ましい。
【００２２】
本発明は上記した実施形態に限定されず、本発明の思想と範囲に含まれる様々な変形及び均等物に及ぶことはいうまでもない。
【実施例】
【００２３】
パルプ組成（質量％）をＮＢＫＰ３５％、ＬＢＫＰ６５％とし、この原料１００質量部に対して、牛乳パック由来の古紙原料を４０質量部配合し、表１、表２に示す特性を有するシートの１枚重ね及び２枚重ねのティシュペーパーを抄紙し、公知の方法でＶ折りしてポップアップ式に取出し可能なティシュペーパー積層体を製造した。ティシュペーパー積層体を、表１、表２に示す特性を有する収納箱（所定の板紙）に収納し、ティシュペーパー製品を作製した。以下の評価を行った。
シートの坪量：ＪＩＳ Ｐ８１２４に基づいて測定し、シート１枚当たりに換算した。
シートの厚さ：シックネスゲージ（尾崎製作所製のダイヤルシックネスゲージ「ＰＥＡＣＯＣＫ」）を用いて測定した。測定条件は、測定荷重２５０ｇｆ、測定子直径３０ｍｍで、測定子と測定台の間に試料を置き、測定子を１秒間に１ｍｍ 以下の速度で下ろしたときのゲージを読み取った。なお、１回の測定は試料を１０枚重ねて行い、測定を１０回繰り返して測定結果を平均した。
ＴＡ、ＴＢ：ＪＩＳ−Ｐ８１１３に基づく乾燥時の引張強さ(単位：Ｎ/２５ｍｍ)を測定した。  フィルムの厚さ：ＪＩＳ Ｐ ８１１８に基づいて測定した。なお、フィルムの厚さは、熊谷理機工業社製の測定機（製品名TM600）を用いて、加圧面の圧力５０ｋＰａとして測定した。
なお、坪量、ＴＡ、ＴＢ、シート及びフィルム厚さの測定は、JIS-P8111に規定する温湿度条件下(２３±１℃、５０±２％ＲＨ)で平衡状態に保持した後に行った。
【００２４】
モニター２０人による以下の官能評価を行った。
ティシュペーパーの保形性（シート引き出し後の保形性）：ポップアップしたときに取出口に保持されたティシュペーパーの形状（ティシュペーパーが立った状態で維持されるか否か）を評価した。
ドロップバック：ポップアップしたときにドロップバック（ティシュペーパーがカートンの中に落ちてしまう現象）の発生しやすさを評価した。
１枚目のティシュペーパーの取り出し性：取出口を開封して１枚目のティシュペーパーを取出口から取り出したときの取り出し易さを評価した。
２枚目以降のティシュペーパーの取り出し性：取出口を開封して２枚目以降のティシュペーパーを取出口から取り出したときの取り出し易さを評価した。
ティシュペーパーの大きさ（使いやすさ）：取り出したティシュペーパーを展開して手に持ったときの大きさと縦横のバランスを評価した。
ティシュペーパーの柔らかさ：取り出したティシュペーパーを展開して手に持ったときの柔らかさを評価した。
ティシュペーパーの破れ難さ：取り出したティシュペーパーを展開して両手で引っ張ったときの破れ難さを評価した。
評価基準は６点満点として各サンプルの相対評価を下記の基準で行った。
６点：非常に優れている  ５点：優れている  ４点：やや優れている  ３点：実用上、問題ない  ２点：劣っている  １点：顕著に劣っている
【００２５】
操業性：ティシュペーパー積層体を収納箱に挿入する際の挿入性を下記の基準で評価した。
６点：非常に優れている  ５点：優れている  ４点：やや優れている  ３点：実用上、問題ない  ２点：劣っている  １点：顕著に劣っている
【００２６】
得られた結果を表１〜表２に示す。
【００２７】
【表１】
2018076123.tif 000003
【００２８】
【表２】
2018076123.tif 000004
【００２９】
表１〜表２から明らかなように、シート１枚当たりの坪量が８．５〜１０．３ｇ／ｍ２、（ＬＡ/ＣＨ）が３．０〜７．０、（ＬＢ/ＰＬ）が１．０５〜２．２、フィルムの厚さが２０〜８０μｍである各実施例の場合、ティシュペーパーの保形性、ドロップバック、取り出し性、大きさ、柔らかさ、破れ難さに優れ、操業性も優れたものとなった。
【００３０】
一方、シート１枚当たりの坪量を８．５ｇ／ｍ２未満とした比較例１の場合、ティシュペーパーの保形性が劣ると共に、破れにくさが劣った。
（ＬＡ/ＣＨ）が３．０未満、かつ（ＬＢ/ＰＬ）が１．０５未満である比較例２の場合、ドロップバックが生じたと共に、保形性も劣り、ティシュペーパー１枚目および２枚目以降の取り出し性が劣った。
（ＬＡ/ＣＨ）が３．０未満、かつ（ＬＢ/ＰＬ）が２．２を超えた比較例３の場合、ドロップバックが生じたと共に、ティシュペーパー１枚目および２枚目以降の取り出し性が劣った。なお、比較例３はＰＷが６０ｍｍを超えたため、ドロップバックが生じたと考えられる。
なお、比較例２の場合、（ＬＡ/２）/ＣＷ）が０．９９を超え、操業性も劣った。
又、比較例３の場合、（ＬＢ/ＣＬ）が０．９９を超え、操業性も劣った。
【００３１】
（ＬＡ/ＣＨ）が７．０を超えた比較例４の場合、保形性が低下したと共に、ティシュペーパー１枚目の取り出し性が劣った。
【００３２】
フィルムの厚さが２０μｍである比較例５の場合、保形性が低下したと共に、ドロップバックが生じた。
フィルムの厚さが８０μｍを超えた比較例６の場合、ティシュペーパー１枚目および２枚目以降の取り出し性が劣った。
（ＬＢ/ＰＬ）が２．２を超えた比較例７の場合、ティシュペーパー１枚目および２枚目以降の取り出し性が劣った。又、比較例７はシート１枚当たりの坪量が１０．３ｇ／ｍ２を超えたためにティシュペーパーの柔らかさも劣った。
【００３３】
市販品である比較例８の場合、（ＬＡ/ＣＨ）が３．０未満であり、保形性が劣ると共に、ティシュペーパー１枚目および２枚目以降の取り出し性が劣った。比較例８はシート１枚当たりの坪量が１０．３ｇ／ｍ２を超えたが、薬液を塗布したローションティシューであったため、ティシュペーパーの柔らかさは良好であった。
シート１枚当たりの坪量が１０．３ｇ／ｍ２を超えた市販品である比較例９の場合、ティシュペーパーの柔らかさが劣った。
【符号の説明】
【００３４】
２ａ、２ｂ  ティシュペーパー
６  フィルム
６ｓ  スリット
１０  収納箱
１０ａ  収納箱の天面
１０ｈ  取出口
２０  ティシュペーパー積層体
１００  ティシュペーパー製品
【図１】
2018076123.tif 000005
【図２】
2018076123.tif 000006
【図３】
2018076123.tif 000007
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
パルプを主成分とする坪量が８．５〜１０．３ｇ／ｍ２のシートを１枚又は２枚以上の所定のプライ数重ねてなるティシュペーパーを、ポップアップ式に取出し可能に交互に積層してなるティシュペーパー積層体と、
該ティシュペーパー積層体を収容し、自身の天面に開口して前記ティシュペーパーを取り出す取出口と、該取出口を覆うように前記天面の内側に貼付され、前記ティシュペーパーを取り出すスリットが形成されたフィルムとを有する略直方体の収納箱と、
を備えたティシュペーパー製品であって、
前記ティシュペーパーの取り出し方向に展開した長さＬＡと、前記収納箱の高さＣＨとの比である（ＬＡ/ＣＨ）が３．０〜７．０、
かつ、前記ティシュペーパーの取り出し方向に直交する方向の長さＬＢと、前記取出口の長手方向の長さＰＬとの比である（ＬＢ/ＰＬ）が１．０５〜２．２で、
前記フィルムの厚さが３５〜５５μｍ、
前記長さＬＡが１８０〜２１０ｍｍ、前記長さＬＢが１７０〜２３０ｍｍ、かつ（ＬＢ/ＬＡ）が０．８〜１．８であり、
前記長さＰＬが１００〜２００ｍｍ、前記取出口の短手方向の幅ＰＷが３０〜６０ｍｍであり、
前記ティシュペーパー積層体の組数が１４０〜１７０組であって、（前記組数×前記プライ数）／（前記高さＣＨ）で表される値が６.５〜７．５、であるティシュペーパー製品。
【請求項２】
前記ティシュペーパーの前記取り出し方向の強度ＴＡと、前記ティシュペーパーの前記取り出し方向に直交する方向の強度ＴＢとの比である（ＴＡ/ＴＢ）が０．１５〜１．０である請求項１に記載のティシュペーパー製品。
【請求項３】
前記シートの厚さが０．３５〜０．７０ｍｍ／１０枚である請求項１又は２に記載のティシュペーパー製品。
【請求項４】
前記収納箱の長手方向の長さＣＬに対し、（ＬＢ/ＣＬ）が０．７０〜０．９９で、
前記収納箱の短手方向の幅ＣＷに対し、（（ＬＡ/２）/ＣＷ）が０．６５〜０．９９である請求項１〜３のいずれかに記載のティシュペーパー製品。
【請求項５】
前記プライ数が１〜４である請求項１〜４のいずれかに記載のティシュペーパー製品。
【請求項６】
前記フィルムの前記スリットの長さＦＬに対し、（ＦＬ/ＰＬ）が０．７０〜０．９９である請求項１〜５のいずれかに記載のティシュペーパー製品。
【請求項７】
前記フィルムがポリエチレンである請求項１〜６のいずれかに記載のティシュペーパー製品。
【手続補正２】
【補正対象書類名】明細書
【補正対象項目名】０００５
【補正方法】変更
【補正の内容】
【０００５】
上記課題を解決するため、本発明のティシュペーパー製品は、パルプを主成分とする坪量が８．５〜１０．３ｇ／ｍ２のシートを１枚又は２枚以上の所定のプライ数重ねてなるティシュペーパーを、ポップアップ式に取出し可能に交互に積層してなるティシュペーパー積層体と、該ティシュペーパー積層体を収容し、自身の天面に開口して前記ティシュペーパーを取り出す取出口と、該取出口を覆うように前記天面の内側に貼付され、前記ティシュペーパーを取り出すスリットが形成されたフィルムとを有する略直方体の収納箱と、を備え、前記ティシュペーパーの取り出し方向に展開した長さＬＡと、前記収納箱の高さＣＨとの比である（ＬＡ/ＣＨ）が３．０〜７．０、かつ、前記ティシュペーパーの取り出し方向に直交する方向の長さＬＢと、前記取出口の長手方向の長さＰＬとの比である（ＬＢ/ＰＬ）が１．０５〜２．２で、前記フィルムの厚さが３５〜５５μｍ、前記長さＬＡが１８０〜２１０ｍｍ、前記長さＬＢが１７０〜２３０ｍｍ、かつ（ＬＢ/ＬＡ）が０．８〜１．８であり、前記長さＰＬが１００〜２００ｍｍ、前記取出口の短手方向の幅ＰＷが３０〜６０ｍｍであり、前記ティシュペーパー積層体の組数が１４０〜１７０組であって、（前記組数×前記プライ数）／（前記高さＣＨ）で表される値が６.５〜７．５、である。
【手続補正３】
【補正対象書類名】明細書
【補正対象項目名】０００６
【補正方法】変更
【補正の内容】
【０００６】
前記ティシュペーパーの前記取り出し方向の強度ＴＡと、前記ティシュペーパーの前記取り出し方向に直交する方向の強度ＴＢとの比である（ＴＡ/ＴＢ）が０．１５〜１．０であることが好ましい。
前記シートの厚さが０．３５〜０．７０ｍｍ／１０枚であることが好ましい。
前記収納箱の長手方向の長さＣＬに対し、（ＬＢ/ＣＬ）が０．７０〜０．９９で、前記収納箱の短手方向の幅ＣＷに対し、（（ＬＡ/２）/ＣＷ）が０．６５〜０．９９であることが好ましい。
前記プライ数が１〜４であることが好ましい。
前記フィルムの前記スリットの長さＦＬに対し、（ＦＬ/ＰＬ）が０．７０〜０．９９であることが好ましい。
前記フィルムがポリエチレンであることが好ましい。
【手続補正４】
【補正対象書類名】明細書
【補正対象項目名】００２７
【補正方法】変更
【補正の内容】
【００２７】
【表１】
2018076123.tif 000008